(57)【要約】【課題】細線同軸ケーブルを有する電子機器において、ケーブルの破損を防止しつつ、ケーブル抜けの発生を抑制する。【解決手段】電子機器１００は、接続端子１０３が設けられた基板１０２と、接続端子に対して所定方向に挿抜可能なコネクタ１０４と、コネクタから延伸する細線同軸ケーブル１０５と、細線同軸ケーブルを所定方向と直交する方向に屈曲させるとともに、細線同軸ケーブルを引っ掛けるフック１１１と、細線同軸ケーブルが所定方向に引っ張られた際のコネクタのフック側への移動を規制するためのストッパ１１２と、を有する。【選択図】図１
2020013945.tif 000002
【特許請求の範囲】
【請求項１】
接続端子が設けられた基板と、
前記接続端子に対して所定方向に挿抜可能なコネクタと、
前記コネクタから延伸する細線同軸ケーブルと、
前記細線同軸ケーブルを前記所定方向と直交する方向に屈曲させるとともに、前記細線同軸ケーブルを引っ掛けるフックと、
前記細線同軸ケーブルが前記所定方向に引っ張られた際の前記コネクタの前記フック側への移動を規制するためのストッパと、
を有することを特徴とする電子機器。
【請求項２】
前記ストッパは、前記フックと一体に形成されている、請求項１に記載の電子機器。
【請求項３】
前記フックは、前記細線同軸ケーブルを、前記細線同軸ケーブルの許容曲げ半径以上の曲げ半径で屈曲させるように設けられている、請求項１または２に記載の電子機器。
【請求項４】
接続端子が設けられた基板と、前記接続端子に対して所定方向に挿抜可能なコネクタと、前記コネクタから延伸する細線同軸ケーブルと、を有する電子機器に対して着脱可能な規制部材であって、
前記電子機器に装着された状態で、前記細線同軸ケーブルを前記所定方向と直交する方向に屈曲させるとともに、前記細線同軸ケーブルを引っ掛けるフックと、
前記細線同軸ケーブルが前記所定方向に引っ張られた際の前記コネクタの前記フック側への移動を規制するためのストッパと、
を有することを特徴とする規制部材。
【請求項５】
前記ストッパは、前記フックと一体に形成されている、請求項４に記載の規制部材。
【請求項６】
前記フックは、前記細線同軸ケーブルを、前記細線同軸ケーブルの許容曲げ半径以上の曲げ半径で屈曲させるように設けられている、請求項４または５に記載の規制部材。
【発明の詳細な説明】
【技術分野】
【０００１】
本発明は、電子機器及び規制部材に関し、特に、細線同軸ケーブルを有する電子機器及び電子機器に対して着脱可能な規制部材に関する。
【背景技術】
【０００２】
ケーブルを有する電子機器を組み立てる際、作業者が、電子機器に挿入させたケーブルを誤って引っ張ってしまうことにより、ケーブルが抜けてしまい、組立時間が増大することがある。
【０００３】
抜止具本体を弾性部材によりＵ字形フック状に形成して板面に固着し、コンセントに差し込んだ電源プラグのコードを抜止具本体のＵ字形内に嵌めて挟着する電源プラグ抜け止め具が開示されている（特許文献１を参照）。
【先行技術文献】
【特許文献】
【０００４】
【特許文献１】実開平４−９３８９９号公報
【発明の概要】
【発明が解決しようとする課題】
【０００５】
細線同軸ケーブルのように強度が低いケーブルを有する電子機器では、ケーブルの破損を防止しつつ、ケーブル抜けの発生を抑制することが望まれている。
【０００６】
本発明の目的は、細線同軸ケーブルを有する電子機器において、ケーブルの破損を防止しつつ、ケーブル抜けの発生を抑制することにある。
【課題を解決するための手段】
【０００７】
本実施形態の一側面に係る電子機器は、接続端子が設けられた基板と、接続端子に対して所定方向に挿抜可能なコネクタと、コネクタから延伸する細線同軸ケーブルと、細線同軸ケーブルを所定方向と直交する方向に屈曲させるとともに、細線同軸ケーブルを引っ掛けるフックと、細線同軸ケーブルが所定方向に引っ張られた際のコネクタのフック側への移動を規制するためのストッパと、を有する。
【０００８】
本実施形態の一側面に係る規制部材は、接続端子が設けられた基板と、接続端子に対して所定方向に挿抜可能なコネクタと、コネクタから延伸する細線同軸ケーブルと、を有する電子機器に対して着脱可能な規制部材であって、回路基板に装着された状態で、細線同軸ケーブルを所定方向と直交する方向に屈曲させるとともに、細線同軸ケーブルを引っ掛けるフックと、細線同軸ケーブルが所定方向に引っ張られた際のコネクタのフック側への移動を規制するためのストッパと、を有する。
【発明の効果】
【０００９】
本発明によれば、細線同軸ケーブルを有する電子機器において、ケーブルの破損を防止しつつ、ケーブル抜けの発生を抑制することが可能となる。
【図面の簡単な説明】
【００１０】
【図１】電子機器１００の斜視図である。
【図２】電子機器１００の側面図である。
【図３】他の実施形態に係る電子機器２００の斜視図である。
【図４】他の実施形態に係る電子機器２００の側面図である。
【図５】さらに他の実施形態に係る電子機器３００の斜視図である。
【図６】さらに他の実施形態に係る電子機器３００の斜視図である。
【図７】さらに他の実施形態に係る電子機器４００の斜視図である。
【図８】さらに他の実施形態に係る電子機器４００の斜視図である。
【発明を実施するための形態】
【００１１】
以下、本発明の一側面に係る用紙排出装置について図を参照しつつ説明する。但し、本発明の技術的範囲はそれらの実施の形態に限定されず、特許請求の範囲に記載された発明とその均等物に及ぶ点に留意されたい。
【００１２】
図１は、実施形態に係る電子機器１００の斜視図であり、図２は、電子機器１００の一部の側面図である。
【００１３】
電子機器１００は、イメージスキャナ、内視鏡、超音波診断装置又は監視カメラ等のように、画像信号等の高速信号を送受信する装置に使用される。なお、電子機器１００は、デジタルカメラ、デジタルビデオカメラ又はカーオーディオ等のように、小型装置に使用されてもよい。
【００１４】
図１及び図２に示すように、電子機器１００は、筐体１０１、基板１０２、接続端子１０３、コネクタ１０４、細線同軸ケーブル１０５及び規制部材１１０等を有する。
【００１５】
筐体１０１は、樹脂材料等で形成され、電子機器１００内部に配置された各部品を支持する。
【００１６】
基板１０２は、様々な回路部品１０２ａが実装された回路基板である。基板１０２は、樹脂材料等で形成され、筐体１０１の支持部１０１ａに係合して、筐体１０１に固定されている。基板１０２の上面には、接続端子１０３が設けられている。
【００１７】
接続端子１０３は、コネクタ１０４を基板１０２に接続させるために、基板１０２に設けられたコネクタである。接続端子１０３は、いわゆるストレートアングルタイプのコネクタであり、コネクタ１０４が基板１０２の上面と直交する方向Ａ１に挿抜されるように設けられている。
【００１８】
コネクタ１０４は、細線同軸ケーブル１０５を基板１０２に接続させるために、細線同軸ケーブル１０５に設けられたコネクタである。コネクタ１０４は、接続端子１０３に対して、基板１０２の上面と直交する方向Ａ１に挿抜可能に設けられている。コネクタ１０４は、基板１０２の上面と直交する方向Ａ１において、基板１０２に向かう方向（図２の下方向）に挿入可能であり、基板１０２から離れる方向（図２の上方向）に抜去可能である。コネクタ１０４又は接続端子１０３には、コネクタ１０４が接続端子１０３から抜去されるのを防止するためのロック機構は設けられていない。
【００１９】
細線同軸ケーブル１０５は、複数の同軸ケーブルを一方向に並べて結合させたケーブルであり、コネクタ１０４から延伸する。細線同軸ケーブル１０５の許容曲げ半径は、例えば、ケーブルの直径の４倍に設定される。即ち、ケーブルの直径が０．２ｍｍである場合、細線同軸ケーブル１０５の許容曲げ半径は、０．８ｍｍに設定される。各同軸ケーブルの内部導体は極細であるが、細線同軸ケーブル１０５は、同軸構造を有しているため、通常のケーブルと比較して、高い屈曲性及び捻回性を有している。例えば、細線同軸ケーブル１０５は、ケーブルを配置するスペースが小さい装置において、画像信号等の高速信号（例えば、１０ＭＨｚ以上の高周波数帯の信号）を送受信するために使用される。
【００２０】
細線同軸ケーブル１０５は、コネクタ１０４の、接続端子１０３と接続する部分とは反対側の部分から延伸するように設けられている。即ち、細線同軸ケーブル１０５は、コネクタ１０４から、コネクタ１０４が接続端子１０３に挿入された状態でコネクタ１０４が接続端子１０３から抜去される方向（図２の上方向）に延伸するように設けられている。
【００２１】
規制部材１１０は、樹脂材料等で形成され、筐体１０１に係合して、筐体１０１に固定されている。なお、規制部材１１０は、筐体１０１と一体に形成されていてもよい。規制部材１１０を筐体１０１と一体に形成することにより、電子機器１００における部品数を低減させることが可能となり、電子機器１００の製造コストを低減させることが可能となる。また、規制部材１１０は、直接、基板１０２に係合して、基板１０２に固定されていてもよい。また、規制部材１１０は、基板１０２と一体に形成されていてもよい。この場合も、部品数を低減させることが可能となり、電子機器１００の製造コストを低減させることが可能となる。規制部材１１０は、フック１１１及びストッパ１１２等を有する。
【００２２】
フック１１１は、細線同軸ケーブル１０５の位置を固定するための固定部として使用される。フック１１１は、コネクタ１０４が接続端子１０３に挿入されることにより基板１０２に接続された細線同軸ケーブル１０５を、基板１０２の上面と水平な方向Ａ２、即ちコネクタ１０４の挿抜方向Ａ１と直交する方向に屈曲させる。フック１１１は、基板１０２側に水平面Ｆ１を有しており、細線同軸ケーブル１０５における各同軸ケーブルが並ぶ面が水平面Ｆ１に当接するように細線同軸ケーブル１０５を引っ掛けて、細線同軸ケーブル１０５を屈曲させる。特に、フック１１１は、接続端子１０３及びコネクタ１０４に対して、細線同軸ケーブル１０５を、細線同軸ケーブル１０５の許容曲げ半径以上の曲げ半径Ｒで屈曲させる位置関係を有するように設けられる。これにより、フック１１１は、細線同軸ケーブル１０５が折れ曲がらないように細線同軸ケーブル１０５を屈曲させることが可能となる。
【００２３】
ストッパ１１２は、コネクタ１０４の側面の内、細線同軸ケーブル１０５がフック１１１により屈曲される側（図２の右側）の側面と対向する位置に配置される。ストッパ１１２は、細線同軸ケーブル１０５が、基板１０２の上面と直交する方向Ａ１の内、接続端子１０３から離れる方向Ａ３に引っ張られた際のコネクタ１０４のフック１１１側への移動を規制する。ストッパ１１２は、規制部材１１０として、フック１１１と一体に形成されている。これにより、フック１１１とストッパ１１２の部品数を低減させることが可能となり、電子機器１００のサイズ及び製造コストを低減させることが可能となる。なお、ストッパ１１２は、フック１１１と別個に設けられてもよい。
【００２４】
電子機器１００が組み立てられる際、まず、作業者により、コネクタ１０４が接続端子１０３に挿入されて、細線同軸ケーブル１０５が基板１０２に接続される。さらに、作業者により、細線同軸ケーブル１０５が、基板１０２の上面と水平な方向Ａ２に屈曲されて、フック１１１に引っ掛けられ、接続端子１０３から離れる方向Ａ３に向けられる。これにより、作業者によって、細線同軸ケーブル１０５が、接続端子１０３から抜去される方向Ａ３に誤って引っ張られた場合でも、コネクタ１０４には、方向Ａ３でなく、基板１０２の上面と水平な方向Ａ２に荷重が加えられる。したがって、コネクタ１０４が、接続端子１０３から抜けることが抑制される。
【００２５】
一方、基板１０２の上面と水平な方向Ａ２に荷重が加えられたコネクタ１０４は、ストッパ１１２に当接するため、コネクタ１０４がフック１１１側に倒れ込むことが防止される。これにより、細線同軸ケーブル１０５、コネクタ１０４又は接続端子１０３が折れ曲がって破損することが防止される。特に、細線同軸ケーブル１０５は、折れ曲がった場合に断線する可能性があるが、ストッパ１１２により、細線同軸ケーブル１０５が断線することが防止される。
【００２６】
以上詳述したように、電子機器１００では、細線同軸ケーブル１０５を引っ掛けるフック１１１と、細線同軸ケーブル１０５が引っ張られた際のコネクタ１０４のフック１１１側への移動を規制するストッパ１１２とが設けられる。これにより、細線同軸ケーブル１０５を有する電子機器１００において、ケーブルの破損を防止しつつ、ケーブル抜けの発生を抑制することが可能となる。したがって、電子機器１００では、部品の破損による部品交換費用の増大、及び、電子機器１００を組み立てる作業者による作業時間の増大を抑制することが可能となり、電子機器１００の製造コストをトータルとして低減させることが可能となった。
【００２７】
また、電子機器１００では、接続端子１０３及び／又はコネクタ１０４に、コネクタ１０４が接続端子１０３から抜去されるのを防止するためのロック機構を設ける必要がなく、接続端子１０３及びコネクタ１０４の費用を低減させることが可能となった。
【００２８】
図３及び図４は、他の実施形態に係る電子機器２００について説明するための模式図である。図３は、電子機器２００の斜視図であり、図４は、電子機器２００の一部の側面図である。
【００２９】
図３及び図４に示すように、電子機器２００は、筐体２０１、基板２０２、接続端子２０３、コネクタ２０４、細線同軸ケーブル２０５及び規制部材２１０等を有する。筐体２０１、基板２０２、接続端子２０３、コネクタ２０４、細線同軸ケーブル２０５及び規制部材２１０は、それぞれ図１に示した筐体１０１、基板１０２、接続端子１０３、コネクタ１０４、細線同軸ケーブル１０５及び規制部材１１０と同様の構成を有する。
【００３０】
但し、接続端子２０３は、いわゆるライトアングルタイプのコネクタであり、コネクタ２０４が基板２０２の上面と水平な方向Ａ４に挿抜されるように設けられている。
【００３１】
一方、コネクタ２０４は、接続端子２０３に対して、基板２０２の上面と水平な方向Ａ４に挿抜可能に設けられている。コネクタ２０４は、基板２０２の上面と水平な方向Ａ４において、規制部材２１０とは逆側に向けて（図４の左方向）挿入可能であり、規制部材２１０側に向けて（図４の右方向）抜去可能である。
【００３２】
規制部材２１０は、フック２１１及びストッパ２１２等を有する。
【００３３】
フック２１１は、基板２０２に接続された細線同軸ケーブル２０５を、基板２０２の上面と直交する方向Ａ５、即ちコネクタ２０４の挿抜方向Ａ４と直交する方向に屈曲させる。フック２１１は、基板２０２側に垂直面Ｆ２を有しており、細線同軸ケーブル２０５における各同軸ケーブルが並ぶ面が垂直面Ｆ２に当接するように細線同軸ケーブル２０５を引っ掛けて、細線同軸ケーブル２０５を屈曲させる。
【００３４】
ストッパ２１２は、コネクタ２０４の側面の内、細線同軸ケーブル２０５がフック２１１により屈曲される側（図４の上側）の側面と対向する位置に配置される。ストッパ２１２は、細線同軸ケーブル２０５が、基板２０２の上面と水平な方向Ａ４の内、接続端子２０３から離れる方向Ａ６に引っ張られた際のコネクタ２０４のフック２１１側への移動を規制する。
【００３５】
電子機器２００が組み立てられる際も、電子機器１００が組み立てられる際と同様に、まず、作業者により、コネクタ２０４が接続端子２０３に挿入されて、細線同軸ケーブル２０５が基板２０２に接続される。さらに、作業者により、細線同軸ケーブル２０５が、基板２０２の上面と直交する方向Ａ５に屈曲されて、フック２１１に引っ掛けられ、接続端子２０３から離れる方向Ａ６に向けられる。これにより、作業者によって、細線同軸ケーブル２０５が、接続端子２０３から抜去される方向Ａ６に誤って引っ張られた場合でも、コネクタ２０４には、方向Ａ６でなく、基板２０２の上面と直交する方向Ａ５に荷重が加えられる。したがって、コネクタ２０４が、接続端子２０３から抜けることが抑制される。
【００３６】
一方、基板２０２の上面と直交する方向Ａ５に荷重が加えられたコネクタ２０４は、ストッパ２１２に当接するため、コネクタ２０４が上方に倒れ込むことが防止される。これにより、細線同軸ケーブル２０５、コネクタ２０４又は接続端子２０３が折れ曲がって破損することが防止される。
【００３７】
以上詳述したように、電子機器２００においても、ケーブルの破損を防止しつつ、ケーブル抜けの発生を抑制することが可能となった。
【００３８】
図５及び図６は、さらに他の実施形態に係る電子機器３００について説明するための模式図である。図５は、コネクタ３０４、細線同軸ケーブル３０５及び規制部材３１０が電子機器３００から分離した状態を示す斜視図であり、図６は、コネクタ３０４、細線同軸ケーブル３０５及び規制部材３１０が電子機器３００に取り付けられた状態を示す斜視図である。
【００３９】
図５及び図６に示すように、電子機器３００は、筐体３０１、基板３０２、接続端子３０３、コネクタ３０４、細線同軸ケーブル３０５及び規制部材３１０等を有する。筐体３０１、基板３０２、接続端子３０３、コネクタ３０４、細線同軸ケーブル３０５及び規制部材３１０は、それぞれ図１に示した筐体１０１、基板１０２、接続端子１０３、コネクタ１０４、細線同軸ケーブル１０５及び規制部材１１０と同様の構成を有する。
【００４０】
但し、筐体３０１には、規制部材３１０を取り付けるための延長部３２０が設けられる。なお、延長部３２０は、基板３０２に設けられてもよい。延長部３２０には、取付部３２１が設けられる。取付部３２１は、例えば挿入口である。
【００４１】
規制部材３１０は、電子機器３００に対して着脱可能に設けられている。規制部材３１０は、フック３１１及びストッパ３１２に加えて、被取付部３１３等を有する。フック３１１及びストッパ３１２は、それぞれ図１に示したフック１１１及びストッパ１１２と同様の構成を有する。フック３１１は、規制部材３１０が電子機器３００に装着された状態で、細線同軸ケーブル３０５を、基板３０２と水平な方向Ａ２に屈曲させるとともに、細線同軸ケーブル３０５を引っ掛ける。被取付部３１３は、例えばツメである。被取付部３１３が取付部３２１に係合されることにより、規制部材３１０は、電子機器３００に取り付けられる。
【００４２】
電子機器３００においても、電子機器１００と同様にして、細線同軸ケーブル３０５が配置され、細線同軸ケーブル３０５が方向Ａ３に引っ張られた場合でも、コネクタ３０４がフック３１１側に倒れ込むことが防止される。
【００４３】
以上詳述したように、電子機器３００においても、ケーブルの破損を防止しつつ、ケーブル抜けの発生を抑制することが可能となった。
【００４４】
図７及び図８は、さらに他の実施形態に係る電子機器４００について説明するための模式図である。図７は、コネクタ４０４、細線同軸ケーブル４０５及び規制部材４１０が電子機器４００から分離した状態を示す斜視図であり、図８は、細線同軸ケーブル４０５及び規制部材４１０が電子機器４００に取り付けられた状態を示す斜視図である。
【００４５】
図７及び図８に示すように、電子機器４００は、筐体４０１、基板４０２、接続端子４０３、コネクタ４０４、細線同軸ケーブル４０５及び規制部材４１０等を有する。筐体４０１、基板４０２、接続端子４０３、コネクタ４０４、細線同軸ケーブル４０５及び規制部材４１０は、それぞれ図４に示した筐体２０１、基板２０２、接続端子２０３、コネクタ２０４、細線同軸ケーブル２０５及び規制部材２１０と同様の構成を有する。
【００４６】
但し、筐体４０１には、規制部材４１０を取り付けるための延長部４２０が設けられる。なお、延長部４２０は、基板４０２に設けられてもよい。延長部４２０には、取付部４２１が設けられる。取付部４２１は、図６に示した取付部３２１と同様の構成を有する。
【００４７】
規制部材４１０は、電子機器４００に対して着脱可能に設けられている。規制部材４１０は、フック４１１及びストッパ４１２に加えて、被取付部４１３等を有する。フック４１１及びストッパ４１２は、それぞれ図３に示したフック２１１及びストッパ２１２と同様の構成を有し、被取付部４１３は、図６に示した被取付部３１３と同様の構成を有する。フック４１１は、規制部材４１０が電子機器４００に装着された状態で、細線同軸ケーブル４０５を、基板４０２と直交する方向Ａ５に屈曲させるとともに、細線同軸ケーブル４０５を引っ掛ける。
【００４８】
電子機器４００においても、電子機器２００と同様にして、細線同軸ケーブル４０５が配置され、細線同軸ケーブル４０５が方向Ａ６に引っ張られた場合でも、コネクタ４０４が上方に倒れ込むことが防止される。
【００４９】
以上詳述したように、電子機器４００においても、ケーブルの破損を防止しつつ、ケーブル抜けの発生を抑制することが可能となった。
【符号の説明】
【００５０】
１００、２００、３００、４００    電子機器
１０２、２０２、３０２、４０２    基板
１０３、２０３、３０３、４０３    接続端子
１０４、２０４、３０４、４０４    コネクタ
１０５、２０５、３０５、４０５    細線同軸ケーブル
１１１、２１１、３１１、４１１    フック
１１２、２１２、３１２、４１２    ストッパ
【図１】
2020013945.tif 000003
【図２】
2020013945.tif 000004
【図３】
2020013945.tif 000005
【図４】
2020013945.tif 000006
【図５】
2020013945.tif 000007
【図６】
2020013945.tif 000008
【図７】
2020013945.tif 000009
【図８】
2020013945.tif 000010